(57)【要約】【課題】ドイツ特許公開第４４３６０８１号公報から公知の振動タンパーを改良する。【解決手段】本発明は、駆動モータ（３）を備えた上部構造（２）と、前記駆動モータ（３）によって駆動されるタンパープレート（６）を備えた下部構造（４）とを有する土壌圧縮用振動タンパー（１）であって、前記タンパープレート（６）が前記下部構造（４）に連設されたタンパー基部（５）に固定されており、このタンパー基部（５）が前記振動タンパー（１）において直線状に動くように案内部材（１１）を用いて設けられている土壌圧縮用振動タンパー（１）に関する。タンパー基部（５）は前記案内部材（１１）と一体形成されている。【選択図】図１
2012082681.tif 000002
【特許請求の範囲】
【請求項１】
駆動モータ（３）を備えた上部構造（２）と、前記駆動モータ（３）によって駆動されるタンパープレート（６）を備えた下部構造（４）とを有する土壌圧縮用振動タンパー（１）であって、
前記タンパープレート（６）が前記下部構造（４）に連設されたタンパー基部（５）に固定されており、前記タンパー基部（５）が前記振動タンパー（１）において直線状に動くように案内部材（１１）を用いて設けられ、前記案内部材（１１）が入れ子式摺動案内ユニットの筒状内側案内部であるものにおいて、
前記タンパー基部（５）が、前記筒状内側案内部（１１）を少なくとも部分的に外囲するカップ形状部（１６）を備えているとともに、前記タンパー基部（５）が前記案内部材（１１）と一体形成されていることを特徴とする土壌圧縮用振動タンパー（１）。
【請求項２】
少なくとも１つの連結ウェブ（１８）が位置する径方向間隙（１７）が、前記カップ形状部（１６）の内側輪郭と前記筒状内側案内部（１１）の外側輪郭との間に設けられていることを特徴とする請求項１に記載の振動タンパー（１）。
【請求項３】
少なくとも１つの大型の搬送用ハンドルが前記タンパー基部（５）に追加して設けられていることを特徴とする請求項１または２に記載の振動タンパー（１）。
【請求項４】
前記タンパー基部（５）は、前記案内部材（１１）とともに、成形物として設けられていることを特徴とする請求項１から３のいずれかに記載の振動タンパー（１）。
【請求項５】
使用される成形材料がアルミニウム材料であることを特徴とする請求項４に記載の振動タンパー（１）。
【請求項６】
使用される成形材料が合成樹脂材料または合成樹脂複合材料であることを特徴とする請求項４に記載の振動タンパー（１）。
【請求項７】
前記成形物が多構成成形物であることを特徴とする請求項４に記載の振動タンパー（１）。
【請求項８】
土壌圧縮用振動タンパー（１）に用いられるタンパー基部（５）であって、
少なくとも請求項１から７のいずれかの特徴を備えることを特徴とする。
【発明の詳細な説明】
【技術分野】
【０００１】
本発明は、請求項１の前提部に記載のタイプの土壌圧縮用振動タンパーに関する。
【背景技術】
【０００２】
この種の振動タンパーは、例えばドイツ特許公開第４４３６０８１号公報から公知である。この振動タンパーは、駆動モータを備えた上部構造と、駆動モータによって駆動されるタンパープレート（または圧縮用プレート）を備えた下部構造と、を有している。タンパープレートを駆動させるために、タンパー基部が案内部材を用いて設けられており、ドイツ特許公開第４４３６０８１号公報の図１から明らかなように、振動タンパーにおいて直線状に動くことができる。
【先行技術文献】
【特許文献】
【０００３】
【特許文献１】ドイツ特許公開第４４３６０８１号公報
【発明の概要】
【発明が解決しようとする課題】
【０００４】
本発明の目的は、ドイツ特許公開第４４３６０８１号公報から公知の振動タンパーを改良することにある。
【課題を解決するための手段】
【０００５】
上記目的は、請求項１の特徴を備えた振動タンパーによって達成される。好適な改良例及び実施例は従属項に記載している。他の独立請求項によると、本発明は、そのような振動タンパーに用いられるタンパー基部も含むものである。
【０００６】
上記目的は、駆動モータを備えた上部構造と、駆動モータによって駆動されるタンパープレートを備えた下部構造とを有する土壌圧縮用振動タンパーであって、タンパープレートが下部構造に連設されたタンパー基部に固定されており、このタンパー基部が振動タンパーにおいて直線状に動くように（少なくとも）１つの案内部材を用いて設けられている振動タンパーによって達成される。少なくとも１つのタンパー基部は、単体、または、案内部材と一体形成されて、設けられている。つまり、タンパー基部は、一体形成された案内部材とともに設けられるものである。
【０００７】
タンパー基部は、単体、または、案内部材と一体形成されて、設けられているため、製造されて組み付けられる個々の構成部材点数は、例えばドイツ特許公開公報第４４３６０８１号において開示されているような、従来技術から公知の構成と較べて削減される。さらに、タンパー基部と案内部材との間のシール部材が不要であり、重量も削減できるという利点がある。その結果、コスト面でも最適化を図ることができる。
【０００８】
一体形成された案内部材は筒状及び管状であり、入れ子式摺動案内ユニットの内側案内部である。現在まで、このような筒状の内側案内部は、例えばドイツ特許公開公報第４４３６０８１号に開示されているように、溶接部品として製造され、その後タンパー基部に連結されるのが一般的であるが、これは、複雑で費用が嵩むものである。加えて、オイルが流れ出ないように、および／または、ごみが入らないように、いずれの部品も接続面においてシールする必要がある。
【０００９】
本発明によると、タンパー基部はカップ形状部を有しており、これは筒状内側案内部を少なくとも部分的に外囲している。さらに、カップ形状部の内側輪郭と筒状内側案内部の外側輪郭との間に径方向間隙を設けることができ、カップ形状部の内側輪郭と内側案内部の外側輪郭との間に延びる少なくとも１つの連結ウェブが、好ましくはこの間隙内に位置している。これにより、特に安定した構造が実現される。この目的のため、連結ウェブが好ましくは環状に設けられるか、内側案内部がカップ形状部の内側輪郭と内側案内部の外代わりなくとの間に周辺部として設けられている。さらに、この環状連結ウェブの高さに少なくとも１つの通路開口部を設けてもよく、これによって、内側案内部の内部隔室と、タンパーを外囲する外部隔室との間が連結される。
【００１０】
振動タンパーのための少なくとも１つの大型の搬送または把持用ハンドルをタンパー基部に設けてもよく、この搬送用ハンドルも、単体、または、タンパー基部と一体形成されて、設けられていることが好ましい。
【００１１】
タンパー基部は、全体として、つまり案内部材とともに、また選択的に搬送用ハンドルとともに成形物として構成されていることが有利である。成形材料としてはアルミニウム材料を用いることが好ましい。このようにして低重量を実現することができる。さらに、上述した案内部材は、特に鋼鉄材料と較べて、比較的簡単に、機械工作によって後処理することができる。より複雑さを省いた加工によってコスト面での最適化を図ることができる。あるいは、成形材料としては、合成樹脂材料または樹脂複合材料を用いることもできる。また、成形物は多構成成形物であってもよく、受ける圧力によって種々の成形材料を用いることができる。従って、例えば、案内部材は鋼鉄成形材料で形成し、残りのタンパー基部はアルミニウム材料で構成してもよい。
【図面の簡単な説明】
【００１２】
【図１】振動タンパーの断面図である。
【図２】図１の振動タンパーの振動基部の拡大断面図である。
【発明を実施するための形態】
【００１３】
以下に、図面に例示された実施例に基づいて、本発明をより詳細に述べる。
【００１４】
図１は、手で操作する振動タンパー１を示している。この振動タンパー１は、駆動モータ３を備えた上部構造２と、タンパープレート６が固定されたタンパー基部５を備えた下部構造４からなる。駆動モータ３は、下端がプレテンションバネ９，１０を介してタンパー基部５に連結された連結ロッド８が設けられた偏心装置７を駆動する。タンパー基部５は、入れ子式摺動案内ユニットによって、振動タンパー１において直線状に動くようになっており、この入れ子式摺動案内ユニットは、筒状の内側案内部１１と、同じく筒状の外側案内部１２がそれぞれ対応する案内部材（内側案内部材及び外側案内部材）を形成するものである。筒状内側案内部１１の上端部は１３で示しており、バネ９の上部カウンターベアリングとしても機能する。上部構造２のフランジは１４で示しており、ここに入れ子式摺動案内ユニットの外側案内部１２が固定される。折りたたみ蛇腹部１５が保護用に設けられている。
【００１５】
図２を参照して以下により詳細に述べるが、本発明によると、タンパー基部５は、単体、または、筒状内側案内部１１と一体形成されて、設けられている。
【００１６】
図２は成形物として構成されたタンパー基部５を示しており、筒状内側案内部１１はタンパー基部５と一体形成されて設けられている。タンパー基部５は、下部領域で筒状内側案内部１１を外囲するカップ形状部１６を有している。径方向、つまり環状筒状の間隙１７が、このカップ形状部１６の内側輪郭と筒状内側案内部１１の外側輪郭との間に設けられており、これにより、一方では外側案内部１２の移動空間が与えられ、他方では、内側案内部１１の外側表面を機械工作によって後処理するための加工ツールを出し入れできるようになっている。カップ形状部１６の内側輪郭と筒状内側案内部１１の外側輪郭との間に延びている環状の連結ウェブ１８が径方向間隙１７に位置しており、これにより、特に安定した構造になる。連結ウェブ１８の高さで、通路孔１９が径方向に形成されており、内側案内部１１の内部隔室と、タンパー１を外囲する外部隔室との間を連結している。通路孔１９は、閉鎖ねじ２０を用いて、カップ形状部１６において外部に対して閉鎖されている。さらに、連結ウェブは、通路孔１９の領域においてポケット２１として設けられており、これにより、特にこの領域がさらに安定する。移行部分はすべて適切に成形されるよう構成されており、荷重に対して最適なものとなっている。
【図１】
2012082681.tif 000003
【図２】
2012082681.tif 000004
【外国語明細書】
2012082681000001.pdf
2012082681000002.pdf
2012082681000003.pdf
2012082681000004.pdf